(57)【要約】      （修正有）【課題】肌の特性や特徴的現象である、皮膚バリア機能、テカリ現象やスキンケア効果を皮脂量等の生理指標により的確に鑑別する技術を提供する。【解決手段】皮膚バリア機能のための肌の鑑別法は、採取された角層細胞の面積及び皮脂量により経皮水分蒸散量（ＴＥＷＬ）を推定して指標とすることを特徴とし、スキンケア実施時期のための肌の鑑別法は、洗顔後の皮膚のテカリ面積を指標とすることを特徴とし、また、スキンケア効果のための肌の鑑別法は、皮膚より採取した皮脂量を指標とすることを特徴とした、肌の鑑別法。【選択図】図３
2010088654.tif 000002
【特許請求の範囲】
【請求項１】
皮膚バリア機能のための肌の鑑別法であって、採取された角層細胞の面積及び皮脂量により、経皮水分蒸散量（ＴＥＷＬ）を推定し、これを指標とすることを特徴とする、肌の鑑別法。
【請求項２】
前記経皮水分蒸散量（ＴＥＷＬ）の推定式が、式（Ａ）で表されることを特徴とする、請求項１に記載の肌の鑑別法。  
経皮水分蒸散量（ＴＥＷＬ）＝０．０６４＊角層細胞の面積−０．０２２＊皮脂量＋４２．２０・・・・・式（Ａ）
【請求項３】
スキンケア実施時期のための肌の鑑別法であって、洗顔後の皮膚のテカリ面積を指標とすることを特徴とする、肌の鑑別法。
【請求項４】
スキンケア効果のための肌の鑑別法であって、皮膚より採取した皮脂量を指標とすることを特徴とする、肌の鑑別法。
【発明の詳細な説明】
【技術分野】
【０００１】
本発明は、皮膚生理指標を用いた肌の鑑別法に関する。
【背景技術】
【０００２】
従来より、女性の肌、皮膚生理、心理や生活習慣などについては、各種のアンケート調査や生理計測が行われ、肌質や皮膚バリア機能等の特性や特徴が開示されている（例えば、特許文献１，２参照）。その結果、その特性に合わせた優れたスキンケアが提供されている。一方、男性の肌に関しては、近年の男性用化粧品分野の伸張などからも示されるように、スキンケアに対する関心が高まりつつある。かようなニーズに対し、男性肌の性質に対する調査が行われ、男性肌が女性肌に比して皮膚生理指標である、皮脂量が多いこと、経表皮水分蒸散量（ＴＥＷＬ）が高いことやキメが乱れていることなどが明らかになっている（例えば、非特許文献１，２参照）。
【０００３】
かように肌の男女差が明らかになっているにも関わらず、男性の意識において当然の如く受け取られ、優れたスキンケアの提供やインパクトのあるカウンセリング情報となるような、特に男性肌の特性や特徴については全く知られていないのが現状であった。また、かような状況下において、皮膚バリア機能、テカリ現象やスキンケア効果が皮脂量等の生理指標などを用いて的確に鑑別できることについても全く知られていなかった。
【０００４】
【特許文献１】特開平１０−１４２２２４号公報
【特許文献２】特開２００５−１８９０１１号公報
【非特許文献１】大西一禎 et al, J. Soc. Cosmet. Chem. Japan 41(2), 94, 2007
【非特許文献２】山口あゆみ et al, J. Soc. Cosmet. Chem. Japan 41(2), 103, 2007
【非特許文献３】Juit Nyirady et al, J. Allergy and clinical immunology 66, 153, 2000
【発明の開示】
【発明が解決しようとする課題】
【０００５】
このような状況下、本発明者らは、男性及び女性の肌の特性や特徴的現象について、男女差や季節や時間的変動を計測評価し、皮膚バリア機能、テカリ現象やスキンケア効果において肌の特性や特徴的現象を把握した。さらに、かような特性や特徴的現象を皮脂量等の生理指標から的確に鑑別する手段を検討してきた。
【０００６】
本発明は、このような状況下為されたものであり、肌の鑑別技術に関し、さらに詳細には、肌特性や特徴的現象である、皮膚バリア機能、テカリ現象やスキンケア効果を皮脂量等の生理指標により的確に鑑別する技術を提供することを課題とする。
【課題を解決するための手段】
【０００７】
本発明者らはこのような状況を鑑みて、肌の特性や特徴的現象である、皮膚バリア機能、テカリ現象やスキンケア効果を生理指標により鑑別する技術を求めて鋭意研究努力を重ねた結果、驚くべきことに皮膚バリア機能、テカリ現象やスキンケア効果を皮脂量等の生理指標によって精度良く鑑別できることを見出し、発明を完成させるに至った。即ち、本発明は以下に示す技術である。
【０００８】
（１）皮膚バリア機能のための肌の鑑別法であって、採取された角層細胞の面積及び皮脂量により、経皮水分蒸散量（ＴＥＷＬ）を推定し、これを指標とすることを特徴とする、肌の鑑別法。
（２）前記経皮水分蒸散量（ＴＥＷＬ）の推定式が、式（Ａ）で表されることを特徴とする、（１）に記載の肌の鑑別法。  
経皮水分蒸散量（ＴＥＷＬ）＝０．０６４＊角層細胞の面積−０．０２２＊皮脂量＋４２．２０・・・・・式（Ａ）
（３）スキンケア実施時期のための肌の鑑別法であって、洗顔後の皮膚のテカリ面積を指標とすることを特徴とする、肌の鑑別法。
（４）スキンケア効果のための肌の鑑別法であって、皮膚より採取した皮脂量を指標とすることを特徴とする、肌の鑑別法。
【発明の効果】
【０００９】
本発明によって、肌の特性や特徴的現象である、皮膚バリア機能、テカリ現象やスキンケア効果を皮脂量などの生理指標により精度良く鑑別できる。
【発明を実施するための最良の形態】
【００１０】
本発明は、肌の特性や特徴的現象である、皮膚バリア機能、テカリ現象やスキンケア効果を皮脂量等の生理指標により精度良く鑑別する技術である。
【００１１】
＜皮膚バリア機能のための肌の鑑別＞
本発明の１つである皮膚バリア機能のための肌の鑑別法、言い換えれば、角層構造の強固さに由来する、皮膚への異物の進入をくい止め、皮膚より水分等の生体が必要とする物質が散逸するのを防ぐ能力の鑑別法は、被験者より採取された角層細胞の面積 と皮脂量を指標とすることを特徴とする。従来、複数の角層細胞の面積を統計学的に処し、個人の平均の面積や分散を算出し、該平均の面積や分散の指標を用いてバリア機能を推定しているが（引用文献２参照）、本発明者らは、男性肌においては皮脂量を指標として加えることで更なる精度の向上が得られることを見出した。これは女性においては、バリア機能の指標である経表皮水分蒸散量（以下ＴＥＷＬと略）と皮脂量とは相関関係を示さないが、男性肌においては、両者は正の有意な相関関係を有するために、ＴＥＷＬの推定精度の向上に大きく貢献するためと考えられる。
【００１２】
かような皮膚バリア機能の計測のために、ＴＥＷＬはＴｅｗａｍｅｔｅｒ（Ｃ+Ｋ社製）等を、皮脂量はＳｅｂｕｍｅｔｅｒ（Ｃ+Ｋ社製）等を用いることができる。また、角層細胞の面積は、被験者より、例えば、粘着テープを使用したテープストリッピング法により、角層細胞を採取し、ゲンチアナバイオレットなどの色素で染色する。次に、該角層細胞の境界を明確にした後に、画像処理を行って角層細胞の面積を計測し、複数個の該面積について平均する（角層細胞の面積はこの平均した値をいう）。この様な方法は、既に化粧料の分野では常法として知られている方法に従えばよい。例えば、計測は、顕微鏡下、既に面積が知られている標準的な比較サンプルとの比較によって行っても良いし、顕微鏡下、形状を計測して行っても良いし、顕微鏡画像をイメージデータとしてコンピューターに取り込んで、市販の画像処理ソフトを用いて計測しても良い。更に、(株)モリテック社製のビデオマイクロスコープ等の拡大ビデオ装置を用いて、前記テープストリッピングで得られた角層細胞を拡大・可視化して、面積計測に使用することもできる。
【００１３】
かようにして得られた各指標について、ＴＥＷＬを目的変数に、角層細胞の面積と皮脂量を説明変数として重回帰分析を行うと、良好な相関係数で重回帰させることができるが、この様な重回帰分析によって得られた重回帰式を用いて、ＴＥＷＬを求めると、実際のものより僅かにずれるが、このずれにより、異物侵入抑制作用まで含んだ皮膚バリア機能の値にはより近いものとなる。これは、異物の侵入抑制などには角層細胞の形状特性がより重要に係わっているためであると考えられる。この様に角層細胞の面積面積及び皮脂量より推定された仮のＴＥＷＬ値を指標に、肌を分類することにより、皮膚バリア機能をランク付けで鑑別することができる。さらに、鑑別された肌に対して、例えば、バリア機能が低い肌であれば、バリア機能を補って異物の侵入を防ぐ皮膜成分を含有する化粧料を処置し、該化粧料を奨めるアドバイスを行うこともできる。
【００１４】
＜スキンケア実施時期の肌の鑑別＞
本発明のスキンケア実施時期のための肌の鑑別法は、洗顔後のテカリ面積を指標とすることを特徴とする。ここでいうテカリとは、皮膚に当たった光の表面反射が増加することで光って見える現象で、素肌やメークアップした肌において、視覚的に美しく見えなくなるという問題を有する。かようなテカリ現象を引き起こす最大の要因は、時間と共に皮脂分泌によって皮脂量が増加することによる。即ち、素肌においては、皮膚表面を皮脂が過剰に覆い、メークアップした肌では、皮脂による化粧料中の粉体の過剰な濡れによると推定されている。このような好ましくない現象を抑えるためには、皮脂分泌の抑制、或いは皮脂の吸着・除去という対応が検討され、メークアップ化粧料の開発が行われているが、肌のテカリ現象の的確な鑑別法は明らかになっていない。
【００１５】
本発明のスキンケア実施時期のための肌の鑑別法における生理指標として、テカリ面積を用いることが好ましい。テカリ面積を算出するには、例えば、市販のデジタル式のカメラやマイクロスコープを用いて顔面のデジタル画像を得た後、例えば、ＡｄｏｂｅＰｈｏｔｏｓｈｏｐ（登録商標）（アドビシステムズ社製）等の市販の汎用画像処理ソフトウェアを用いて、対象とすべき部位より範囲を設定し、該範囲内にテカリ領域と対応する閾値を設定し、該閾値以上の輝度値を示す領域の面積を算出すればよい。さらに、かように求めたテカリ面積の時間依存性を計測・表示を行い、急激なテカリ面積の増加を示す時間、或いは時間−テカリ面積のグラフにおいて、その傾きが急激に増加する時間を求めることで、洗顔、化粧直し等のスキンケアを至急に実施すべき時期を的確に鑑別できる。
【００１６】
＜スキンケア効果のための肌の鑑別＞
本発明のスキンケア効果のための肌の鑑別法は、皮膚より採取した皮脂量を指標とすることを特徴とする。ここでいう、スキンケア効果とは、スキンケアを日常的・習慣的に継続的に実施することによる肌への有効な効果を意味する。かような効果として、例えば、女性においてマッサージの長期連用効果等が一部報告されているが、一般的なスキンケア効果の報告は皆無である。また、皮脂との関係についても全く知られていない。
【００１７】
肌のスキンケア効果のための肌の鑑別法において、皮脂量の計測は前記のようにＳｅｂｕｍｅｔｅｒ（Ｃ+Ｋ社製）等を用いて簡便に計測することができる。従来より、皮脂量を計測し、それを指標とすることで肌性の鑑別を行ったり、部位差や男女差を鑑別できることが開示されているが、本発明は皮脂量の値によって、肌のスキンケア効果を鑑別できるという簡便で優れた方法である。即ち、皮脂量が多いとスキンケア効果が不十分であり、皮脂量が少ないとスキンケア効果が十分であるという極めて驚くべき且つ簡便で優れた方法を見出した。これは、日常的・習慣的にスキンケア、例えば、化粧水、乳液やクリーム等の使用やマッサージ等の行為を行うことで、過剰な皮脂分泌が抑制され、肌の恒常性機能を高めて良好な肌を維持する為と考えられる。したがって、本発明を用いて、スキンケア習慣の不明な被験者に対して、皮脂量を計測し、該皮脂量値と予め計測して作製された皮脂量のデータベースの基準皮脂量値と比較し、その多少によってスキンケア効果が十分であるかを判定し、お手入れ方法や化粧料の選択等のカウンセリングを行うことができる。
【００１８】
以下に、本発明を実施例など参照にして詳細に説明するが、これにより本発明の範囲が限定されることはない。
【実施例１】
【００１９】
＜バリア機能のための肌の鑑別と鑑別式＞
男性被験者（２０〜５９才、各年代約１０名）４５名を対象に、５月、８月、１１月及び２月に、下記の項目・条件にてＴＥＷＬ、皮脂量、皮膚水分量の計測及び角層細胞の採取・面積計測を行った。また、女性被験者（２０〜５９才、各年代約１０名）５０名については、２月のみ計測を行った。２月（冬期）の男性肌（頬部）において、ＴＥＷＬを目的変数に、角層細胞の面積と皮脂量（洗顔後５０分）を説明変数として重回帰分析を行うと、式（Ａ）のような良好なバリア機能の推定式が得られることを見出した（図１参照）。通常、バリア機能の指標であるＴＥＷＬと皮脂量とは相関関係を示さないが、男性肌においては、両者は正の有意な相関関係を有するために、ＴＥＷＬの推定精度の向上に大きく貢献し、この結果、角層細胞の面積に皮脂量を指標として加えることで更なる精度の向上が得られるものと考えられる。
経皮水分蒸散量（ＴＥＷＬ）＝０．０６４＊角層細胞の面積−０．０２２＊皮脂量＋４２．２０      （Ｒ＝０．３９，ｐ＜０．０５）・・・・・式（Ａ）  
【００２０】
＜計測条件、装置等＞
計測部位：頬部及び前額部の２箇所
計測条件：温度２０℃±１℃、湿度５０％±５％
ＴＥＷＬ：Ｔｅｗａｍｅｔｅｒ ＴＭ２１０（Ｃ+Ｋ社製）、洗顔後２０分
皮脂量：Ｓｅｂｕｍｅｔｅｒ ＳＭ８２５（Ｃ+Ｋ社製）、洗顔後５０分
皮膚水分量：Ｃｏｒｎｅｏｍｅｔｅｒ（登録商標）ＣＭ８２５（Ｃ+Ｋ社製）、ＳＫＩＣＯＮ−２００ＥＸ（アイ・ビイ・エス社製）：洗顔後２０分
角層細胞面積：洗顔２０分後、定法に従い、角層採取、染色及び角層細胞面積計測
デジタル画像採取：Ｎｉｋｏｎ Ｄ２００（ニコン社製）
画像処理ソフトウェア：ＮａｎｏＨｕｎｔｅｒ ＮＳ２Ｋ−Ｐｒｏ（登録商標）（ナノシステム社製）、ＡｄｏｂｅＰｈｏｔｏｓｈｏｐ（登録商標）ＣＳ（Ａｄｏｂｅ社製）、ＩｍａｇｅＪ（ＮＩＨ製）
統計解析ソフトウェア：ＳＰＳＳ Ｓｔａｔｉｓｔｉｃｓ（ＳＰＳＳ社製）
【実施例２】
【００２１】
＜スキンケア実施時期のための肌の鑑別＞
男性被験者（平均年齢３０．０±５．８才）５名の前額部位を対象に、洗顔後２時間間隔で８時間まで、Ｎｉｋｏｎ Ｄ２００（ニコン社製）を用いてデジタル画像の採取及び皮脂量計測を行い、テカリ現象の時系列変化を検討した。即ち、得られたデジタル画像に対して、実施例１に記載の画像処理ソフトウェアを利用して、ＲＧＢ画像を得た後、閾値以上のテカリ面積を算出し、その時系列変化を検討した（図２，３参照）。図２，３より分かるように、洗顔後４時間を経過すると、テカリ面積が非常に増大することが分かる。したがって、本実施例では、４時間を経過した場合は、洗顔、化粧直しなどのスキンケアを至急に実施すべき時期と鑑別することができる。
【実施例３】
【００２２】
＜スキンケア効果のための肌の鑑別＞
実施例１の男性被験者４５名を対象に、洗顔を除く日常的・習慣的にスキンケアを行っているかどうかのアンケートを行い、スキンケア習慣群（以下スキンケア群：２８名）と非スキンケア習慣群（以下なし群：１７名）の２群に分類した。この２群の２月度の皮脂量を実施例１と同様に計測し、比較した結果を図４に示す。図４より、皮脂量はスキンケア群はなし群に比して有意に抑制されていることが分かる。また、この両群はＴＥＷＬ、角層細胞面積及び視覚的な肌状態の評価値においても、有意な差異を有していることから、皮脂量の多少によってスキンケア効果を鑑別できることが分かる。これは、日常的・習慣的なスキンケア行為によって、過剰な皮脂分泌が抑制され、肌の恒常性機能が向上して良好な肌を維持するようになった為と考えられる。
【産業上の利用可能性】
【００２３】
本発明によって、肌の特性や特徴的現象である、皮膚バリア機能、テカリ現象やスキンケア効果を皮脂量等の生理指標により的確に鑑別する技術を提供でき、その結果、優れたスキンケアの選択・提供、或いは販売の現場等において、的確でインパクトのあるカウンセリング等を行うことができる。
【図面の簡単な説明】
【００２４】
【図１】生理指標を用いた頬部ＴＥＷＬの推定値と測定値との関係を示す図である。
【図２】洗顔後の時間経過における、テカリ面積を示す画像（図面代用写真）である。
【図３】洗顔後のテカリ面積の時系列変化を示す図である。
【図４】スキンケア習慣の有無が皮脂量に及ぼす影響を示す図である。
【図１】
2010088654.tif 000003
【図２】
2010088654.tif 000004
【図３】
2010088654.tif 000005
【図４】
2010088654.tif 000006